(57)【要約】【課題】同一の形状を有する複数の溶着性ビーズ玩具の集合体を短時間で容易に作成することができる溶着性ビーズ玩具用作成台を提供する。【解決手段】溶着性ビーズ玩具作成台１は、溶着性ビーズ玩具６０が載置される第一面と、第一面とは反対側の第二面とを有し、第一面には、溶着性ビーズ玩具６０の集合体が所定の形状となるよう模られた型枠４０と、型枠４０の外側の非形成領域２３ｂに所定の間隔で配置される三角突起５１と、が設けられる溶着性ビーズ玩具用テーブル２０を備える。【選択図】  図２
2019098003.tif 000002
【特許請求の範囲】
【請求項１】
溶着性ビーズ玩具が載置される第一面と、前記第一面とは反対側の第二面とを有し、
前記第一面には、前記溶着性ビーズ玩具の集合体が所定の形状となるよう模られた型枠と、前記型枠の外側の領域に所定の間隔で配置される三角突起と、が設けられる溶着性ビーズ玩具用テーブルを、備えることを特徴とする溶着性ビーズ玩具作成台。
【請求項２】
複数の前記三角突起は、
一方向に所定の間隔で１８０度ずつ回転して配置され、前記一方向と直交する方向にも、所定の間隔で１８０度ずつ回転して配置される
ことを特徴とする請求項１に記載の溶着性ビーズ玩具作成台。
【請求項３】
前記型枠の高さは、
前記溶着性ビーズ玩具が前記第一面に載置されたとき、当該溶着性ビーズ玩具の高さよりも低い高さに形成される
ことを特徴とする請求項１又は２に記載の溶着性ビーズ玩具作成台。
【請求項４】
前記型枠の内側の形成領域において、前記第一面から前記第二面に亘って貫通する複数の貫通孔を備える
ことを特徴とする請求項１乃至３の何れか１項に記載の溶着性ビーズ玩具作成台。
【請求項５】
前記型枠の外側の非形成領域に対応する前記第二面は、平面に形成される
ことを特徴とする請求項１乃至４の何れか１項に記載の溶着性ビーズ玩具作成台。
【請求項６】
前記溶着性ビーズ玩具テーブルの前記第二面側に水受面を備えるトレイと、
前記溶着性ビーズ玩具テーブルの前記第一面と対向するよう配置され、前記溶着性ビーズ玩具を受ける受面を備えるレシーバと、をさらに備える
ことを特徴とする請求項１乃至５の何れか１項に記載の溶着性ビーズ玩具作成台。
【発明の詳細な説明】
【技術分野】
【０００１】
本発明は、溶着性ビーズ玩具を並べて溶着性ビーズ玩具の集合体を作成するための溶着性ビーズ玩具用作成台に関する。
【背景技術】
【０００２】
従来から、溶着性ビーズ玩具用作成台に載置された溶着性ビーズ玩具の集合体を、完全に乾燥する前に取り外して次の溶着性ビーズ玩具の集合体を作成するための器具が開示されている。例えば、特許文献１には、平面視凹凸形状のヘラ部を備えた溶着性ビーズ玩具用スクレイパーが開示されている。
【０００３】
ここで、溶着性ビーズ玩具は、例えば、ポリビニルアルコールを樹脂に配合して混練して粒状に形成される。そして、溶着性ビーズ玩具を保持トレイに載置した後、霧吹き等により水を溶着性ビーズ玩具に供給して湿潤状態とすることで、溶着性ビーズ玩具は溶融する。その後、所定時間放置して乾燥させると、溶融した樹脂が硬化し、溶着性ビーズ玩具同士が結合する。このようにして、主な使用者である子供は、所望の図柄の溶着性ビーズ玩具の集合体を作成して楽しむことができる。
【先行技術文献】
【特許文献】
【０００４】
【特許文献１】特許第６１０８６５０号公報
【発明の概要】
【発明が解決しようとする課題】
【０００５】
特許文献１に開示される溶着性ビーズ玩具用スクレイパーによれば、溶着性ビーズ玩具用作成台上の溶着性ビーズ玩具の集合体の表面をある程度乾燥させてから溶着性ビーズ玩具の集合体を溶着性ビーズ玩具用作成台から取り外して次の溶着性ビーズ玩具の集合体を作成することができる。しかしながら、溶着性ビーズ玩具の集合体を作成する子供は、溶着性ビーズ玩具の集合体の作成後、直ぐに別の溶着性ビーズ玩具の集合体を作成したい場合がある。
【０００６】
また、初心者や小さな子供は、複数個の溶着性ビーズ玩具を一つずつ保持トレイに載置し、その気に入った形状の溶着性ビーズ玩具の集合体を再現するのに時間がかかるため、短時間で複数個の溶着性ビーズ玩具の集合体を作成したいと考えることもある。
【０００７】
本発明は、同一の形状を有する複数の溶着性ビーズ玩具の集合体を短時間で容易に作成することができる溶着性ビーズ玩具作成台を提供することを目的とする。
【課題を解決するための手段】
【０００８】
本発明の実施形態に係る溶着性ビーズ玩具作成台は、溶着性ビーズ玩具が載置される第一面と、前記第一面とは反対側の第二面とを有し、前記第一面には、前記溶着性ビーズ玩具の集合体が所定の形状となるよう模られた型枠と、前記型枠の外側の領域に所定の間隔で配置される三角突起と、が設けられる溶着性ビーズ玩具用テーブルを、備えることを特徴とする。
【発明の効果】
【０００９】
本発明によれば、溶着性ビーズ玩具用作成台は、予め定められた形状を有する複数の溶着性ビーズ玩具の集合体を短時間で容易に作成することができる。
【図面の簡単な説明】
【００１０】
【図１】本発明の実施形態に係る溶着性ビーズ玩具用作成台の外観斜視図である。
【図２】本発明の実施形態に係る溶着性ビーズ玩具用作成台の分解斜視図である。
【図３】本発明の実施形態に係る溶着性ビーズ玩具用作成台のレシーバ及びテーブルの裏面を示す斜視図である。
【図４】本発明の実施形態に係る溶着性ビーズ玩具用作成台の載置部の図２におけるＰ部の拡大斜視図である。
【図５】本発明の実施形態に係る溶着性ビーズ玩具用作成台により溶着性ビーズ玩具の集合体を作成する工程を説明するための図であり、溶着性ビーズ玩具をテーブルに載置する工程を説明するための斜視図である。
【図６】本発明の実施形態に係る溶着性ビーズ玩具用作成台により溶着性ビーズ玩具の集合体を作成する工程を説明するための図であり、溶着性ビーズ玩具のテーブルを反転してレシーバに溶着性ビーズ玩具の集合体を移行する工程を説明するための斜視図である。
【図７】本発明の実施形態に係る溶着性ビーズ玩具用作成台により溶着性ビーズ玩具の集合体を作成する工程を説明するための図であり、溶着性ビーズ玩具のテーブルを再度反転してトレイに戻した工程を説明するための斜視図である。
【発明を実施するための形態】
【００１１】
次に、図に基づいて本発明の実施形態を説明する。図１は溶着性ビーズ玩具用作成台１を示す斜視図であり、図２は溶着性ビーズ玩具用作成台１の分解斜視図である。溶着性ビーズ玩具用作成台１は、全体を略長矩形状とする略平板状とされる。溶着性ビーズ玩具用作成台１には、上から順に、レシーバ１０と、テーブル２０と、トレイ３０とが重なるようにして配置される。また、図３は、レシーバ１０及びテーブル２０を左右反転して裏面側から見た斜視図である。
【００１２】
図１及び図２に示すように、レシーバ１０は、略長矩形状とする略平板状とされる。レシーバ１０の両短辺部には、外方向に突出する平板状の取手１１が形成される。レシーバ１０の第一面である表面には、星形状や模様が施されている。これにより、子供が楽しく遊ぶことができる。
【００１３】
図３に示すように、レシーバ１０の第一面とは反対側の第二面である裏面には、受面１２が形成される。後述するが、受面１２は、テーブル２０に載置された複数の溶着性ビーズ玩具６０（図５参照）を受ける面である。図３のＳ部拡大図に示すように、受面１２には、略円形偏平状に形成される多数の突起１２ａが形成されている。突起１２ａは、隣り合う行及び列がオフセットするように配置される。また、図３に示すように、レシーバ１０の裏面における両短辺部には、壁部１３が立設する。各壁部１３の外側には、それぞれ２つの縦リブ１４が形成される。
【００１４】
図２に示すように、テーブル２０は、略長矩形状とする略平板状とされる。図２における右側の短辺部には、軸心をテーブル２０の短手方向と平行とする円柱状の軸２１が２箇所に形成される。各軸２１は、両長辺側近傍に形成される。一方、図２における左側（換言すれば、軸２１と反対側）の短辺部には、略平板状に外方向に突出する取手２２が形成される。
【００１５】
テーブル２０の第一面である表面には、溶着性ビーズ玩具６０（図５参照）が載置される載置部２３が形成される。載置部２３は、後述する、溶着性ビーズ玩具６０の集合体を形成する形成領域２３ａと、溶着性ビーズ玩具６０の集合体を形成しない非形成領域２３ｂと、が形成される。載置部２３の外周には、表面から立設する壁部２４が形成される。これにより、溶着性ビーズ玩具６０が載置部２３上で転がってしまった場合でも、テーブル２０の外側に脱落してしまうことが低減される。そして、取手２２が形成される側の壁部２４には、両端近傍に凹部２４ａが形成される。また、凹部２４ａが形成される壁部２４の内面側には、２箇所に縦リブ２４ｂが形成される。さらに、凹部２４ａが設けられる壁部２４と対向する壁部２４（換言すれば、軸２１が設けられる側の壁部２４）には、凹部２４ａと対向する位置に、係合孔２４ｃが形成される。
【００１６】
ここで、テーブル２０の載置部２３には、４つの型枠４０が形成されている。型枠４０は、それぞれ動物を模した型枠となっている。また、型枠４０は、テーブル２０の載置部２３に壁状に形成される。即ち、型枠４０は、溶着性ビーズ玩具６０（図５参照）の集合体が、動物を模した形状となるよう模られ、テーブル２０の載置部２３に立設する。そして、型枠４０は、テーブル２０の載置部２３において、動物を模した溶着性ビーズ玩具６０の集合体を形成する形成領域２３ａと、溶着性ビーズ玩具６０の集合体を形成しない非形成領域２３ｂとの境界を形成する。
【００１７】
また、図２におけるＰ部拡大図（テーブル２０の表面の拡大図）とされる図４に示すように、型枠４０の高さは、溶着性ビーズ玩具６０が載置部２３の形成領域２３ａに載置されたとき、その溶着性ビーズ玩具６０の高さよりも低い高さに形成される。即ち、複数の溶着性ビーズ玩具６０が形成領域２３ａに載置されると、複数の溶着性ビーズ玩具６０は、レシーバ１０の受面１２と当接する。一方、載置部２３の型枠４０は、レシーバ１０の受面１２と当接しない高さとなっている。具体的には、溶着性ビーズ玩具６０は、サイズが直径約５［ｍｍ］であるため、型枠４０は、５［ｍｍ］よりも低い高さに形成される。
【００１８】
載置部２３の型枠４０の内側の形成領域２３ａには、複数の貫通孔２５が形成されている。貫通孔２５は、載置部２３の第一面である表面から第一面の反対側の第二面である裏面に亘って貫通する（図３参照）。また、貫通孔２５は、横断面略円形とされている。溶着性ビーズ玩具６０の集合体は、形成領域２３ａ内の複数の貫通孔２５に溶着性ビーズ玩具６０が載置されることにより、型枠４０で模られた形の溶着性ビーズ玩具６０の集合体が形成される。なお、貫通孔２５は、テーブル２０に行及び列方向において、オフセットして配置されている。
【００１９】
ここで、形成領域２３ａに対応する第二面（裏面）には、貫通孔２５の貫通する孔が空いている。一方、非形成領域２３ｂに対応する第二面（裏面）には、孔はなく、平坦面とされている。
【００２０】
また、図４に示すように、載置部２３の型枠４０の外側の非形成領域２３ｂには、複数の三角突起５１が形成される。複数の三角突起５１は、テーブル２０の一方向である短手方向（一方向）に所定の間隔を空けて、１８０°ずつ回転させて配置される。これにより、溝５０ｂと溝５０ｃが形成される。また、テーブル２０の短手方向に配置された複数の三角突起５１は、長手方向に所定の間隔を空けて形成される。短手方向（一方向）と直交する長手方向の所定の間隔により、溝５０ａが形成される。そして、短手方向の一方向に配置される複数の三角突起５１は、溝５０ａを介して、向かい合う長手方向の複数の三角突起５１と１８０°回転して配置される。
【００２１】
例えば、図４に示す三角突起５１ａと、隣り合う三角突起５１ｂは、１８０°回転して配置されている。そして、隣り合う三角突起５１は、短手方向に向かって連続的に配置される。また、三角突起５１ｃは、溝５０ａを挟んで、三角突起５１ａと１８０°回転して配置される。これにより、複数の三角突起５１は、三角突起５１ａ及び三角突起５１ｂと同様に、溝５０ａを挟んだ状態で、短手方向に沿って１８０°回転して連続的に配置される。
【００２２】
このように、載置部２３の型枠４０の外側の非形成領域２３ｂは、複数の三角突起５１が配置されることにより、３方向の溝５０ａ，５０ｂ，５０ｃを形成する。また、非形成領域２３ｂには、貫通孔２５が形成されていないため、子供は、誤って溶着性ビーズ玩具６０を非形成領域２３ｂに載置することがない。
【００２３】
また、載置部２３の型枠４０の内側の形成領域２３ａにおける貫通孔２５の孔縁２５ｂには、隣接する貫通孔２５と接続される第一面側接続溝２６が形成される。第一面側接続溝２６は、テーブル２０の短手方向に隣接する貫通孔２５と接続し、直線状に形成される直線溝２６ａと、斜め方向に隣接する貫通孔２５と接続し、傾斜状に形成される傾斜溝２６ｂとから成る。さらに、貫通孔２５には、貫通孔２５の内周面から径外方向に凹状とされて、貫通孔２５の軸方向に沿って、第一面（表面）から第二面（裏面）に亘って貫通する凹孔２７が貫通孔２５の中心に対してテーブル２０の長手方向に対向する２箇所に設けられる。
【００２４】
テーブル２０の第二面（裏面）側に配置されるトレイ３０は、図２に示すように、略長矩形の略平板状に形成される。トレイ３０の第一面である表面側には、平坦面とされる略長矩形の水受面３１が形成される。水受面３１の外周の両長辺側と、図２における左側の短辺側には、水受面３１から立設する壁部３２が形成される。そして、水受面３１の図２における右側の短辺側には、短手方向に溝部３３が延在する。
【００２５】
水受面３１で受けられる水は、型枠４０の内側の形成領域２３ａの貫通孔２５から落ちてくる水である。これに対し、非形成領域２３ｂには貫通孔２５が無く、複数の溝５０は、溝５０ｂ及び溝５０ｃで余分な水を保持している。
【００２６】
さらに、水受面３１の両長辺側及び左側の短辺側の各壁部３２からは、水受面３１上に向けて３つの支持リブ３４が突出して形成される。また、溝部３３の外側には、両長辺側の壁部３２の内側近傍に、２つの軸受３５が形成される。軸受３５は、上方を開口する略Ｕ字状の溝状に形成される。軸受３５の開口端部には、軸押え突起３５ａが形成される。各軸受３５の下方には、外方向に向けて突出するように平板３６が形成される。
【００２７】
テーブル２０の各軸２１は、軸受３５の上方から挿入されて、各軸受３５により回動自在に支持され、一組のヒンジ部５（図１参照）が形成される。ヒンジ部５により、テーブル２０は、軸２１回りに回動する。このようにして、テーブル２０は、反転可能にトレイ３０に取り付けられる。そして、テーブル２０の第二面（裏面）は、トレイ３０の支持リブ３４により支持される。従って、テーブル２０の第二面（裏面）と水受面３１が対向するようテーブル２０がセットされている状態においては、テーブル２０の第二面（裏面）と水受面３１との間に間隙が形成されるため、テーブル２０から流れ落ちる水がスムーズに水受面３１に落下する。
【００２８】
次に、図５〜図７に基づいて、溶着性ビーズ玩具用作成台１を用いて、溶着性ビーズ玩具６０の集合体を作成する手順を説明する。ここで、溶着性ビーズ玩具６０は公知のものが用いられる。例えば、溶着性ビーズ玩具６０は、ポリビニルアルコールを樹脂に配合して混錬して形成される。その形状は、本実施形態においては、真球形状の溶着性ビーズ玩具６０を示しているが、この他、多面体形状等に成形することもできる。また、種々の色の溶着性ビーズ玩具６０を用いることもできる。
【００２９】
先ず、図５に示すように、レシーバ１０をテーブル２０から取り外した状態で、テーブル２０の型枠４０の内側の形成領域２３ａにおける複数の貫通孔２５（孔縁２５ｂ）に、複数の溶着性ビーズ玩具６０を載置して、型枠４０で模られた図柄（型枠４０で模られた溶着性ビーズ玩具６０の集合体）を作成する。そして、霧吹き等により、型枠４０の内側の形成領域２３ａに載置した複数の溶着性ビーズ玩具６０に対して十分な水を塗布する。
【００３０】
このとき、型枠４０の内側の形成領域２３ａの複数の溶着性ビーズ玩具６０のみに水を塗布するのは難しく、ある程度の水が非形成領域２３ｂに供給される。そして、形成領域２３ａの溶着性ビーズ玩具６０に塗布された水のうち、余分な水は貫通孔２５からトレイ３０に落ちる。これにより、余分な水は、トレイ３０の水受面３１で受けられると共に、水受面３１で貯留され、壁部３２及び溝部３３により水受面３１の外側に水が飛散してしまうことが低減される。一方、非形成領域２３ｂに供給された水は、溝５０ｂ又は溝５０ｃに保持される。また、非形成領域２３ｂに供給された一部の水は、溝５０ａを通って、溝５０ａに対して傾斜する溝５０ｂ，５０ｃに引っ張られるようにして保持される。
【００３１】
次に、レシーバ１０をテーブル２０上に配置し、図６に示すように、テーブル２０をレシーバ１０と共に反転させる。そして、反転したテーブル２０のみをトレイ３０上に戻すと、図７に示すように、テーブル２０の型枠４０の内側の形成領域２３ａの複数の溶着性ビーズ玩具６０の集合体は反転し、レシーバ１０の受面１２上に移行する。レシーバ１０の受面１２上に載置された複数の溶着性ビーズ玩具６０の集合体は、レシーバ１０の突起１２ａで支持されるため、レシーバ１０の受面１２に強固に溶着することなく、受面１２上を滑らせるようにして受面１２から机上等に移動させて乾燥させることができる。このようにして、載置部２３の型枠４０で模られた形の溶着性ビーズ玩具６０の集合体を作成することができる。
【００３２】
また、このとき、載置部２３の型枠４０の外側の非形成領域２３ｂの水は、溝５０ｂ及び溝５０ｃで保持されるので、テーブル２０を反転させてもこぼれることはない。また、溝５０ｂ及び溝５０ｃで保持することができない一部の水は、短手方向の溝５０ａを流れ、連通する他の溝５０ｂ又は溝５０ｃに接続される。従って、型枠４０の外側は、型枠４０の周辺に近いほど多くの水が塗布されるが、相互に接続される複数の溝５０ａ，５０ｂ，５０ｃにより連通する溝５０ａを流れ、水を保持可能な溝５０ｂ及び溝５０ｃに辿りつくことができる。
【００３３】
このように、溶着性ビーズ玩具用作成台１によれば、テーブル２０の型枠４０の内側の形成領域２３ａの複数の貫通孔２５に複数の溶着性ビーズ玩具６０を載置して水を塗布した後、型枠４０の外側の非形成領域２３ｂの水分を、三角突起５１から形成される複数の溝５０で３方向に分散することができる。また、水を塗布した後、直ぐに複数の溶着性ビーズ玩具６０を載置部２３の型枠４０の内側の形成領域２３ａから取り外すことができるので、同一の形状を有する複数の溶着性ビーズ玩具の集合体を短時間で容易に作成することができる。
【００３４】
また、複数の溝５０は、複数の三角突起５１により形成される。複数の三角突起５１は、  一方向に所定の間隔で１８０度ずつ回転して配置され、一方向と直交する方向にも、所定の間隔で、１８０度ずつ回転して配置される。これにより、３方向の複数の溝５０が形成されるため、左右方向と上下方向からなる排水溝により排水する場合と比べ、効率的に水分を分散することができる。従って、テーブル２０の反転時におけるレシーバ１０の受面１２への溶着性ビーズ玩具６０の移行がし易くなる。更に、型枠４０の高さは、溶着性ビーズ玩具６０が形成領域２３ａに載置されたときの高さよりも低い高さに形成されており、型枠４０がレシーバ１０の受面１２と接触することがない。また、塗布による余分な水は、型枠４０の外側の非形成領域２３ｂから形成領域２３ａに流れ込むことがない。このため、テーブル２０の水切り性が向上する。
【００３５】
そのうえ更に、テーブル２０は、型枠４０の内側の形成領域２３ａにおいて、第一面から第二面に亘って貫通する複数の貫通孔２５を備えているので、型枠４０で模られた溶着性ビーズ玩具６０の集合体の速乾性を向上させることができる。そして、テーブル２０の第二面は、型枠４０の外側の非形成領域２３ｂに対応する位置において、平面に形成されているので、水分を均等に分散することができる。
【００３６】
そして、複数の溶着性ビーズ玩具６０は、水の塗布後、乾燥する前に反転してテーブル２０から取り外されるため、溶着性ビーズ玩具６０の表側が先に乾燥してしまうことによる溶着性ビーズ玩具６０の集合体の反りが発生し難くなる。
【００３７】
以上のような本発明の実施形態によれば、下記の態様の溶着性ビーズ玩具用作成台を提供することができる。
【００３８】
第１の態様に係る溶着性ビーズ玩具作成台は、溶着性ビーズ玩具が載置される第一面と、前記第一面とは反対側の第二面とを有し、前記第一面には、前記溶着性ビーズ玩具の集合体が所定の形状となるよう模られた型枠と、前記型枠の外側の領域に所定の間隔で配置される三角突起と、が設けられる溶着性ビーズ玩具用テーブルを、備える。
【００３９】
この構成によれば、溶着性ビーズ玩具作成台は、テーブルの型枠の外側の非形成領域の水分を適切に分散することができるので、溶着性ビーズ玩具の集合体に水を塗布した後、型枠の外側の非形成領域の余分な水を保持すると共に、所定の動物の形状に模られた溶着性ビーズ玩具の集合体をテーブルから容易に取り除くことができる。従って、同一の形状を有する複数の溶着性ビーズ玩具の集合体を、短時間で容易に作成することができる。
【００４０】
第２の態様に係る溶着性ビーズ玩具作成台は、複数の前記三角突起は、一方向に所定の間隔で１８０度ずつ回転して配置され、前記一方向と直交する方向にも、所定の間隔で１８０度ずつ回転して配置される。
【００４１】
この構成によれば、溶着性ビーズ玩具作成台は、型枠の外側の非形成領域において、複数の三角突起により形成される３方向の複数の溝により、余分な水分を保持することができるので、型枠の内部の形成領域の溶着性ビーズ玩具の集合体の速乾性に影響を与えることなく、同一形状の溶着性ビーズ玩具の集合体を作成することができる。
【００４２】
第３の態様に係る溶着性ビーズ玩具作成台は、前記型枠の高さが、前記溶着性ビーズ玩具が前記第一面に載置されたとき、当該溶着性ビーズ玩具の高さよりも低い高さに形成される。
【００４３】
この構成によれば、溶着性ビーズ玩具作成台は、型枠がレシーバの受面と接触することがなく、また、塗布による余分な水は、型枠の外側の非形成領域から形成領域に流れ込むことがないため、溶着性ビーズ玩具の集合体の速乾性に影響を与えないようにできる。
【００４４】
第４の態様に係る溶着性ビーズ玩具作成台は、前記型枠の内側の形成領域において、前記第一面から前記第二面に亘って貫通する複数の貫通孔を備える。
【００４５】
この構成によれば、溶着性ビーズ玩具作成台は、型枠の内部の形成領域にある溶着性ビーズ玩具の集合体の速乾性を高めることができる。
【００４６】
第５の態様に係る溶着性ビーズ玩具作成台は、前記型枠の外側の非形成領域に対応する前記第二面が、平面に形成される。
【００４７】
この構成によれば、溶着性ビーズ玩具作成台は、型枠の外側の非形成領域の水分を均等に分散することができる。
【００４８】
第６の態様に係る溶着性ビーズ玩具作成台は、前記溶着性ビーズ玩具テーブルの前記第二面側に水受面を備えるトレイと、前記溶着性ビーズ玩具テーブルの前記第一面と対向するよう配置され、前記溶着性ビーズ玩具を受ける受面を備えるレシーバと、をさらに備える。
【００４９】
この構成によれば、溶着性ビーズ玩具作成台は、トレイとレシーバをさらに備えることにより、レシーバと溶着性ビーズ玩具用テーブルとを同時に反転させることができるので、速乾性を向上させることができる。
【００５０】
以上、本発明の実施形態を説明したが、本発明は上記実施形態に限定されるものではなく、種々の変更を加えて実施することができる。
【符号の説明】
【００５１】
１      溶着性ビーズ玩具用作成台  １０    レシーバ
１０ａ  縁                        １１    取手
１２    受面                      １２ａ  突起
１３    壁部                      １４    縦リブ
２０    テーブル                  ２１    軸
２２    取手                      ２３    載置部
２３ａ  形成領域                  ２３ｂ  非形成領域
２４    壁部                      ２４ａ  凹部
２４ｂ  縦リブ                    ２４ｃ  係合孔
２５    貫通孔                    ２５ｂ  孔縁
２６    第一面側接続溝            ２６ａ  直線溝
２６ｂ  傾斜溝                    ２７    凹孔
３０    トレイ                    ３１    水受面
３２    壁部                      ３３    溝部
３４    支持リブ                  ３５    軸受
３５ａ  軸押え突起                ３６    平板
４０    型枠                      ４１    内壁部
４２    外壁部                    ５０    溝
５０ａ，５０ｂ，５０ｃ  排水溝    ６０    溶着性ビーズ玩具
【図１】
2019098003.tif 000003
【図２】
2019098003.tif 000004
【図３】
2019098003.tif 000005
【図４】
2019098003.tif 000006
【図５】
2019098003.tif 000007
【図６】
2019098003.tif 000008
【図７】
2019098003.tif 000009